(57)【要約】  【課題】  利用者が曲名や演奏者名、作曲者名等を憶えておらず、また正確な旋律を覚えていない場合でも、希望する楽曲を容易に検索できるようにする。  【解決手段】  複数の楽曲を蓄積する楽曲蓄積部１と、蓄積された楽曲からリズムを抽出するリズム抽出部４と、抽出されたリズムを楽曲と関連付けて記憶するリズム記憶部６と、検索を希望する楽曲のリズムを入力するリズム入力部１２と、入力されたリズムを検出するリズム検出部９と、検出されたリズムと記憶されたリズムとを比較照合して一致する楽曲を検索する楽曲検索部１０と、検索された楽曲を楽曲蓄積部１から選択して音声出力する音声出力部２とを備える。【選択図】  図１
2005338353.tif 000002
【特許請求の範囲】
【請求項１】
複数の楽曲を蓄積する楽曲蓄積手段と、前記楽曲からリズムを抽出するリズム抽出手段と、前記抽出されたリズムを前記楽曲と関連付けて記憶するリズム記憶手段と、検索を希望する楽曲のリズムを入力するリズム入力手段と、前記入力されたリズムを検出するリズム検出手段と、前記検出されたリズムと前記記憶されたリズムとを比較照合して一致する楽曲を検索する楽曲検索手段と、前記検索された楽曲を前記楽曲蓄積手段から選択して音声出力する音声出力手段とを備えた音楽検索装置。
【請求項２】
前記リズムは楽曲の歌唱部の歌い出し部分のリズムであることを特徴とする請求項１記載の音楽検索装置。
【請求項３】
前記リズムは楽曲のイントロ部分またはサビ部分のリズムであることを特徴とする請求項１記載の音楽検索装置。
【請求項４】
前記リズム記憶手段は、楽曲から抽出されたリズムを前記楽曲と関連付けて記憶する際に、前記楽曲の複数部分のリズムに関連付けて記憶することを特徴とする請求項１ないし請求項３のいずれかに記載の音楽検索装置。
【請求項５】
前記リズム検索手段は、前記リズム入力手段により入力されたリズムに補正情報を付加して、前記リズム記憶手段に記憶されたリズムと比較照合することを特徴とする請求項１ないし請求項４のいずれかに記載の音楽検索装置。
【請求項６】
前記補正情報は、前記リズム入力手段により入力されたリズムに短い拍が連続する場合は、その拍の回数を実際の回数よりも少なく換算する情報であることを特徴とする請求項５記載の音楽検索装置。
【請求項７】
前記補正情報は、前記リズム入力手段により入力されたリズムに短い拍が連続した後は、その後のテンポを遅くする情報であることを特徴とする請求項５記載の音楽検索装置。
【請求項８】
前記補正情報は、前記楽曲の旋律に音を長く延ばす音符がある場合に、その音符が延ばされている間に演奏される他の楽器によるリズムを加えた情報であることを特徴とする請求項５記載の音楽検索装置。
【請求項９】
前記リズム入力手段により入力されたリズムに基づいて再生した楽曲を記憶する検索楽曲記憶手段を備えたことを特徴とする請求項１ないし請求項８のいずれかに記載の音楽検索装置。
【請求項１０】
利用者が検索を希望する楽曲のジャンルを入力するジャンル入力手段を備え、前記リズム抽出手段は前記楽曲蓄積手段の楽曲からリズムとジャンルを抽出し、前記リズム記憶手段は前記楽曲を前記リズムとジャンルに関連付けて記憶し、前記楽曲検索手段は前記入力手段から入力されたジャンルに基づいて前記リズム記憶手段から該当するジャンルの楽曲を抽出するとともに前記抽出した楽曲のリズムと前記検出されたリズムとを比較照合して一致する楽曲を検索することを特徴とする請求項１ないし請求項９のいずれかに記載の音楽検索装置。
【発明の詳細な説明】
【技術分野】
【０００１】
本発明は、蓄積された多数の楽曲の中から好みの楽曲を検出する音楽検索装置に関する。
【背景技術】
【０００２】
従来、音楽検索装置は、カラオケ等において多数の楽曲の中から好みの楽曲を選曲する際に必要なものである。音楽検索に際して、希望する楽曲の曲名や演奏者名、作曲者名、歌詞等を知っている場合には、それらを基に容易に検索することが可能である。しかし、一般には希望する楽曲の曲名等を忘れてしまい、メロディー（旋律）だけを憶えている場合があり、このような場合でも、メロディーの一部を歌唱やハミングで入力するだけで、曲名等を知らなくても選曲が可能な音楽検索装置が知られている（例えば、特許文献１参照）。また、メロディーではなく、楽器編成やリズム感などの音楽的特徴により楽曲の検索可能な音楽検索装置も知られている（例えば、特許文献２参照）。
【特許文献１】特開２００１−７５９８５号公報
【特許文献２】特開平６−２０２６２１号公報
【発明の開示】
【発明が解決しようとする課題】
【０００３】
しかしながら、従来の音楽検索装置においては、メロディーを憶えていても、そのメロディーを正確に入力できる人は限られており、歌の苦手の人が入力したメロディーでは音程が不正確で検索が不可能である。また、従来の楽器編成やリズム感を基に検索する装置では、演奏された楽器が何であるか、リズムが何であるかを憶えている人は少ない。従来のリズムを基に楽曲を検索する装置では、蓄積された楽曲に含まれているＭＩＤＩデータに基づいて８ビート、サンバ等の特定リズムを検出するものであるが、通常の利用者においては、ワルツ程度のリズムは知っているものの、８ビートやサンバがどのようなリズムであるかは知らない人の方が多いと思われる。
【０００４】
そこで、本発明は、利用者が曲名や演奏者名、作曲者名等を憶えておらず、また正確な音程やリズムを覚えていない場合でも、希望する楽曲を容易に検索することのできる音楽検索装置を提供することを目的とする。
【０００５】
本発明は、リズムは、メロディーに比べて体感的に覚えやすいものであり、例えば、「川の流れのように」の歌の場合、サビの部分である「ああ、川の流れのように」を正確な音程は分からなくても、「タンターン、タタタタタタタタンターン」のような旋律のリズムは覚えている人は多いと思われることに着目してなされたものである。したがって、本発明においてリズムとは、メロディーを形成する音符によって構成される音の持続時間の長短を意味するものと定義し、いわゆる一定の規則性を持った強弱感により構成される拍子やタンゴ、ワルツ、サンバ、８ビートといった特定のリズムを意味するものではない。
【課題を解決するための手段】
【０００６】
本発明の音楽検索装置は、複数の楽曲を蓄積する楽曲蓄積手段と、前記楽曲からリズムを抽出するリズム抽出手段と、前記抽出されたリズムを前記楽曲と関連付けて記憶するリズム記憶手段と、検索を希望する楽曲のリズムを入力するリズム入力手段と、前記入力されたリズムを検出するリズム検出手段と、前記検出されたリズムと前記記憶されたリズムとを比較照合して一致する楽曲を検索する楽曲検索手段と、前記検索された楽曲を前記楽曲蓄積手段から選択して音声出力する音声出力手段とを備えたものである。
【０００７】
この構成により、利用者がぼんやり覚えている旋律のリズムを口ずさんだり、キーボードから入力することにより、楽曲検索手段がそのようなリズムを有する楽曲を検索するので、利用者が曲名や演奏者名、作曲者名等を憶えておらず、また正確な旋律を覚えていない場合でも、利用者が希望する楽曲を多数の楽曲の中から容易に検索して再生することができる。
【０００８】
また、本発明の音楽検索装置は、前記リズムは楽曲の歌唱部の歌い出し部分のリズムであることを特徴とする。この構成により、利用者が曲名や演奏者名、作曲者名等を憶えておらず、また正確な旋律を覚えていない場合でも、歌い初めのメロディーのリズムを入力するだけで、利用者が希望する楽曲を多数の楽曲の中から容易に検索して再生することができる。
【０００９】
また、本発明の音楽検索装置は、前記リズムは楽曲のイントロ部分またはサビ部分のリズムであることを特徴とする。この構成により、利用者が曲名や演奏者名、作曲者名等を憶えておらず、また正確な旋律を覚えていない場合でも、イントロ部分またはサビ部分のメロディーのリズムを入力するだけで、利用者が希望する楽曲を多数の楽曲の中から容易に検索して再生することができる。
【００１０】
また、本発明の音楽検索装置は、前記リズム記憶手段は、楽曲から抽出されたリズムを前記楽曲と関連付けて記憶する際に、前記楽曲の複数部分のリズムに関連付けて記憶することを特徴とする。この構成により、利用者が曲名や演奏者名、作曲者名等を憶えていなくても、歌い出しやイントロ、サビのいずれかの部分のメロディーのリズムを入力するだけで、利用者が希望する楽曲を多数の楽曲の中から容易に検索して再生することができる。
【００１１】
また、本発明の音楽検索装置は、前記リズム検索手段は、前記リズム入力手段により入力されたリズムに補正情報を付加して、前記リズム記憶手段に記憶されたリズムと比較照合することを特徴とする。この構成により、利用者が、正確なリズムを入力しなくても、それに近いリズムを有する楽曲を検索することができる。
【００１２】
また、本発明の音楽検索装置は、前記補正情報は、前記リズム入力手段により入力されたリズムに短い拍が連続する場合は、その拍の回数を実際の回数よりも少なく換算する情報であることを特徴とする。この構成により、利用者がリズムを入力する場合、短い拍が連続する場合は口ずさんだり、キーボードで叩いたりする動作が追い付かない場合があるので、このような場合にはその拍の回数を少なく見積もることにより、利用者の希望する楽曲の検索確率を高めることができる。
【００１３】
また、本発明の音楽検索装置は、前記補正情報は、前記リズム入力手段により入力されたリズムに短い拍が連続した後は、その後のテンポを遅くする情報であることを特徴とする。この構成により、利用者がリズムを入力する場合、短い拍が連続した場合は、その後の入力が遅くなる傾向があるので、このような場合にはその後のテンポを遅くすることにより、利用者の希望する楽曲の検索確率を高めることができる。
【００１４】
また、本発明の音楽検索装置は、前記補正情報は、前記楽曲の旋律に音を長く延ばす音符がある場合に、その音符が延ばされている間に演奏される他の楽器によるリズムを加えた情報であることを特徴とする。この構成により、利用者がリズムを入力する場合、旋律の中で長く伸ばされる音がある場合には、その音の裏で聞こえている楽器のリズムを感じている場合があるので、このような場合にはその裏のリズムを付加することにより、利用者の希望する楽曲の検索確率を高めることができる。
【００１５】
また、本発明の音楽検索装置は、前記リズム入力手段により入力されたリズムに基づいて再生した楽曲を記憶する検索楽曲記憶手段を備えたことを特徴とする。この構成により、利用者が過去に入力したリズムにより検索された楽曲の中から利用者が選択して再生した楽曲がある場合には、そのリズムと楽曲とを対応付けて記憶しておくことにより、利用者が再び同様なリズム入力した場合には、リズム記憶手段を検索することなく、検索楽曲記憶手段から直ちにその楽曲を検索して再生することができる。
【００１６】
また、本発明の音楽検索装置は、利用者が検索を希望する楽曲のジャンルを入力するジャンル入力手段を備え、前記リズム抽出手段は前記楽曲蓄積手段の楽曲からリズムとジャンルを抽出し、前記リズム記憶手段は前記楽曲を前記リズムとジャンルに関連付けて記憶し、前記楽曲検索手段は前記入力手段から入力されたジャンルに基づいて前記リズム記憶手段から該当するジャンルの楽曲を抽出するとともに前記抽出した楽曲のリズムと前記検出されたリズムとを比較照合して一致する楽曲を検索することを特徴とする。この構成により、利用者が曲名や演奏者名、作曲者名等を憶えていなくても、民謡、童謡、愛唱歌、Ｊポップス、ロック、ジャズ、クラシック、オペラ等のジャンルは憶えていることがあるので、楽曲のジャンルを指定することにより、利用者の希望する楽曲の検索を迅速に行うことができる。
【発明の効果】
【００１７】
本発明は、蓄積された楽曲からリズムを抽出して記憶しておくとともに、検索を希望する楽曲のリズムを入力して、この入力されたリズムと記憶されたリズムとを比較照合して一致する楽曲を検索するので、利用者が曲名や演奏者名、作曲者名等を憶えておらず、また正確な旋律を覚えていない場合でも、希望する楽曲を容易に検索することができるという効果を有する。
【発明を実施するための最良の形態】
【００１８】
以下、本発明の実施の形態における音楽検索装置について、図面を用いて説明する。
【００１９】
（実施の形態１）
図１は本発明の第１の実施の形態における音楽検索装置の構成を示している。図１において、楽曲蓄積部１は、多数の楽曲を蓄積する楽曲蓄積手段であり、ハードディスク装置等の大容量記憶装置である。楽曲蓄積部１は、この音楽検索装置の外部にあってネットワークに接続されたサーバであってもよい。また、楽曲蓄積部１は、ＣＤ等の光ディスクから収録したり、ラジオやテレビ放送から楽曲を収録することができる。音声出力部２は、楽曲蓄積部１からの楽曲を再生する装置であり、スピーカ３を備えている。リズム抽出部４は、音声出力部２から再生された楽曲からリズムを抽出するもので、これは、例えば、楽曲データであるＭＩＤＩデータの中のメロディートラックを用いて、楽音の発音および消音を示すノートオンデータおよびノートオフデータの立ち上がりおよび立下りにより旋律のリズムパターンを抽出する。記憶部５は、抽出されたリズムパターンを楽曲と関連付けて記憶するリズム記憶部６と、検索結果により利用者が選択した楽曲を記憶する検索楽曲記憶部７とを備えている。リズム記憶部６は、ハードディスク等の大容量のデータベースであり、検索楽曲記憶部７はＲＡＭ等のメモリである。制御部８は、リズム入力部１２から入力されたリズムを検出するリズム検出部９と、この入力されたリズムパターンとリズム記憶部６に記憶されたリズムパターンとを比較照合して一致する楽曲を検索する楽曲検索部１０とを備えている。制御部８はＣＰＵで構成され、リズム検出部９および楽曲検索部１０はソフトウェアとして構成され、リズム抽出部４も制御部８により動作するソフトウェアである。入力部１１は、リズム入力部１２を有し、このリズム入力部１２は、例えば利用者が口で唱えたリズムをマイクで受信し増幅してリズム検出部９に送るものである。あるいはリズム信号を出力できる専用のパッドを用いたり、キーボードを用いたりしてもよい。
【００２０】
以上のように構成された音楽検索装置についてその動作を説明する。この装置は、大きく分けてリズムデータベースの作成と楽曲検索の２つの動作を行うものである。初めにリズムデータの作成を図２を参照して説明する。図２において、楽曲蓄積部１には予め多数の楽曲を収録して音楽ライブラリを作成しておく（ステップＳ１）。次に、収録した全ての楽曲について、リズム抽出部４により各楽曲を構成するＭＩＤＩデータから旋律のリズムパターンを抽出して(ステップＳ２)、図３に示すように、リズム記憶部６に楽曲ＩＤとそのリズムパターンとを互いに関連付けて記憶する(ステップＳ３)。この時、それぞれの楽曲に対して楽曲ＩＤとイントロ部分のリズムと、歌い出し部分のリズムと（楽器演奏のみの場合はない)、サビ部分のリズムの３つのリズムパターンが記憶される。楽曲によっては、歌い出し部分のリズムがイントロ部分またはサビ部分のリズムと同一である場合がある。なお、サビ部分は楽曲のＭＩＤＩデータに含まれている。なお、ステップＳ１の楽曲の収録は、１度に全部の楽曲について行わなくてもよく、楽曲を再生するその都度行ってもよい。
【００２１】
次に、楽曲検索動作について図４を参照して説明する。図４において、まず利用者は、自分が検索したい楽曲のリズムを入力する(ステップＳ１１)。例えば利用者が口で唱えたリズムをリズム入力部１２のマイクで受信して、その信号の立ち上がりおよび立ち下がりをリズム検出部９で経過時間とともに検出してリズムパターンを検出する(ステップＳ１２)。生成されたリズムパターンは、記憶部５のＲＡＭに一旦記憶される。次に、楽曲検索部１０において、リズム検出部９で検出されたリズムパターンとリズム記憶部６に記憶された楽曲のそれぞれのリズムパターンとを比較照合し(ステップＳ１３)、一致するものを検索する (ステップＳ１４)。一致するものがあれば、その楽曲ＩＤを抽出し(ステップＳ１５)、その楽曲ＩＤを有する楽曲を楽曲蓄積部１から選択し(ステップＳ１６)、音声出力部２のスピーカ３から出力する(ステップＳ１７)。
【００２２】
楽曲検索を行う際には、補正情報を使用するとよい。補正情報を利用することにより、正確なリズムを入力しなくても、それに近いリズムを有する楽曲を検索することができる。補正情報は、例えばリズム入力部１２から入力されたリズムに短い拍が連続する場合は、その拍の回数を実際の回数よりも少なく換算する情報である。この補正情報を用いることにより、利用者がリズムを入力する場合、短い拍が連続する場合は口ずさんだり、キーボードを叩いたりする動作が追い付かない場合があるので、このような場合にはその拍の回数を少なく見積もることにより、利用者の希望する楽曲の検索確率を高めることができる。
【００２３】
別の補正情報としては、リズム入力部１２から入力されたリズムに短い拍が連続した後は、その後のテンポを遅くする情報である。この補正情報を用いることにより、利用者がリズムを入力する場合、短い拍が連続した場合は、その後の入力が遅くなる傾向があるので、このような場合にはその後のテンポを遅くすることにより、利用者の希望する楽曲の検索確率を高めることができる。
【００２４】
さらに別の補正情報としては、楽曲の旋律に音を長く延ばす音符がある場合に、その音符が延ばされている間に演奏される他の楽器によるリズムを加えた情報である。この補正情報を用いることにより、利用者がリズムを入力する場合、旋律の中で長く伸ばされる音がある場合には、その音の裏で聞こえている楽器のリズムを感じている場合があるので、このような場合にはその裏のリズムを付加することにより、利用者の希望する楽曲の検索確率を高めることができる。
【００２５】
これら補正情報は、図５に示すように、リズム記憶部６に記憶されたリズムパターンに関連付けて、補正リズムパターンとして記憶しておく。正規のリズムパターンでヒットしなかった場合に、この補正リズムパターンを用いて再度検索を行う。
【００２６】
このようにして、検索が終了し、複数の楽曲がヒットした場合は、音声出力部２から順番に再生してゆき、利用者の希望に適合する楽曲が選択された場合には、その選択された楽曲のＩＤとリズムパターンとを記憶部５の検索楽曲記憶部７に格納しておく。これにより、利用者が再び同様なリズムを入力した場合には、リズム記憶部６を検索することなく、検索楽曲記憶部７から直ちにその楽曲を検索して再生することができ、検索時間を大幅に短縮することができる。
【００２７】
このように、本発明の第１の実施の形態の音楽検索装置によれば、多数の楽曲を蓄積する楽曲蓄積部１と、蓄積された楽曲からリズムを抽出するリズム抽出部４と、抽出されたリズムを楽曲と関連付けて記憶するリズム記憶部６と、検索を希望する楽曲のリズムを入力するリズム入力部１２と、入力されたリズムを検出するリズム検出部９と、検出されたリズムと記憶されたリズムとを比較照合して一致する楽曲を検索する楽曲検索部１０と、検索された楽曲を楽曲蓄積部１から選択して音声出力する音声出力部２とを備えているので、利用者がぼんやり覚えている旋律のリズムを口ずさんだり、キーボードを叩いたりして入力することにより、利用者が曲名や演奏者名、作曲者名等を憶えておらず、また正確な旋律を覚えていない場合でも、利用者が希望する楽曲を多数の楽曲の中から検索して再生することができる。
【００２８】
（実施の形態２）
次に、本発明の第２の実施の形態における音楽検索装置について説明する。図６は本実施の形態２における音楽検索装置の構成を示し、図１に示した実施の形態１における音楽検索装置と基本的な構成は同じなので、同じ構成要素に同じ符号を付して重複した説明は省略する。本実施の形態２が実施の形態１と異なるのは、入力部１１にジャンル入力部１３が追加され、楽曲検索部１４がジャンルとリズムを検索し、リズム・ジャンル記憶部１５には楽曲に関連付けてリズムとジャンル名が記憶され、リズム・ジャンル抽出部１６がリズムとジャンルを抽出することである。
【００２９】
ジャンル入力部１３は、パソコンのキーボードであり、そのパソコンにこの音楽検索装置が接続されることになる。勿論、この音楽検索装置に、ジャンル名を記載した専用のキーパッドを設けてもよい。リズム・ジャンル抽出部１６は、音声出力部２から再生された各楽曲のＭＩＤＩデータからリズムパターンとともにＭＩＤＩデータに含まれているジャンル名を抽出する。リズム・ジャンル記憶部１５は、図７に示すように、このジャンル名をイントロ、歌い出し、サビの部分のリズムパターンに加えて各楽曲ＩＤに関連付けて記憶する。
【００３０】
以上のように構成された音楽検索装置について、その動作を説明する。まず、図８を用いてリズムデータベースの作成について説明する。実施の形態１と同様に、楽曲蓄積部１には予め多数の楽曲を収録して音楽ライブラリを作成しておく（ステップＳ２１）。次に、収録した全ての楽曲について、リズム・ジャンル抽出部１６により各楽曲のＭＩＤＩデータから旋律のリズムパターンとジャンル名を抽出し(ステップＳ２２)、リズム・ジャンル記憶部１５に楽曲ＩＤと各楽曲におけるイントロ、歌い出し、サビの部分のリズムパターンとジャンル名とを互いに関連付けて記憶する(ステップＳ３３)。
【００３１】
次に、図９を用いて楽曲検索動作について説明する。まず利用者は、自分が検索したい楽曲のジャンル名をジャンル名入力部１３から入力し、次いでリズム入力部１２から実施の形態１と同様にしてリズムを入力する(ステップＳ３１)。リズム検出部９は、入力されたリズムを検出してリズムパターンを記憶する(ステップＳ３２)。次に、楽曲検索部１４は、入力されたジャンル名に基づいて該当するジャンルに属する楽曲をリズム・ジャンル記憶部１５から検索して記憶部５のＲＡＭに一旦記憶する(ステップＳ３３)。次いで、検索された楽曲のリズムパターンと、リズム検出部９で検出されたリズムパターンとを比較照合し(ステップＳ３４)、一致するものを検索する (ステップＳ３５)。一致するものがあれば、その楽曲ＩＤを抽出し(ステップＳ３６)、その楽曲ＩＤを有する楽曲を楽曲蓄積部１から選択し(ステップＳ３７)、音声出力部２のスピーカ３から出力する(ステップＳ３８)。なお、リズムパターンの照合に際しては、実施の形態１と同様に補正情報を利用する。
【００３２】
このように、本発明の第２の実施の形態の楽曲検索装置によれば、楽曲のジャンル名を入力するジャンル入力部１３と、楽曲のジャンルとリズムを検索する楽曲検索部１４と、楽曲に関連付けてリズムとジャンル名を記憶するリズム・ジャンル記憶部１５と、蓄積された楽曲の中からリズムとジャンルを抽出するリズム・ジャンル抽出部１６を備えているので、利用者が、リズム入力に加えてジャンル名を入力することにより、利用者の希望する楽曲の検索を迅速に行うことができる。
【００３３】
なお、本実施の形態２において、ジャンル名だけでなく、その楽曲の曲名、演奏者名、作曲者名、その他の楽曲に関する多くの情報がＭＩＤＩデータに含まれているので、これらの情報をリズム・ジャンル記憶部１５に記憶しておき、ジャンル名入力部１３からは利用者が知っている楽曲についての情報を入力するようにすれば、さらに検索効率を高めることができる。
【００３４】
また、上記実施の形態１および実施の形態２において、検索楽曲記憶部７に記憶する楽曲は、楽曲ＩＤ番号順に記憶するのではなく、利用者が過去に同じ楽曲を選択した回数を記憶し、回数の多い順番に並べて検索順位に優先度を付けるようにしてもよい。また、利用者が最近に利用した楽曲の回数を記憶し、最近利用した回数の多い順番に並べて検索順位に優先度を付けるようにしてもよい。
【００３５】
また、利用者が、楽曲を再生中にその楽曲に合わせてリズムを入力した場合には、そのリズムの部分が歌い出しでもなく、イントロでもなく、サビでなくても、リズム記憶部６またはリズム・ジャンル記憶部１５に記憶しておく。これは、利用者がこのような動作を行ったのは、その利用者がその部分のリズムに共感を覚えているからであり、楽曲の検索にその部分のリズムを入力する可能性が多いからである。
【産業上の利用可能性】
【００３６】
以上のように、本発明に係る音楽検索装置は、蓄積された楽曲からリズムを抽出して記憶しておく一方、検索を希望する楽曲のリズムを入力して、この入力されたリズムと記憶されたリズムとを比較照合して一致する楽曲を検索するので、利用者が曲名や演奏者名、作曲者名等を憶えておらず、また正確な旋律を覚えていない場合でも、希望する楽曲を容易に検索することができるという効果を有し、蓄積された多数の楽曲の中から好みの楽曲を検出する音楽検索装置等として有用である。
【図面の簡単な説明】
【００３７】
【図１】本発明の第１の実施の形態における音楽検索装置のブロック図
【図２】本発明の第１の実施の形態におけるリズムデータベース作成処理のフロー図
【図３】本発明の第１の実施の形態のリズム記憶部における記憶データの構成図
【図４】本発明の第１の実施の形態における楽曲検索処理のフロー図
【図５】本発明の第１の実施の形態のリズム記憶部における記憶データの別の構成図
【図６】本発明の第２の実施の形態における音楽検索装置のブロック図
【図７】本発明の第２の実施の形態のリズム・ジャンル記憶部における記憶データの構成図
【図８】本発明の第２の実施の形態におけるリズムデータベース作成処理のフロー図
【図９】本発明の第２の実施の形態における楽曲検索処理のフロー図
【符号の説明】
【００３８】
１  楽曲蓄積部
２  音声出力部
３  スピーカ
４  リズム抽出部
５  記憶部
６  リズム記憶部
７  検索楽曲記憶部
８  制御部
９  リズム検出部
１０  楽曲検索部
１１  入力部
１２  リズム入力部
１３  ジャンル入力部
１４  楽曲検索部
１５  リズム・ジャンル記憶部
１６  リズム・ジャンル抽出部
【図１】
2005338353.tif 000003
【図２】
2005338353.tif 000004
【図３】
2005338353.tif 000005
【図４】
2005338353.tif 000006
【図５】
2005338353.tif 000007
【図６】
2005338353.tif 000008
【図７】
2005338353.tif 000009
【図８】
2005338353.tif 000010
【図９】
2005338353.tif 000011